(57)【要約】  【課題】  取り付け壁の厚みによって決まる建具枠の見込み寸法を、取り付け壁の厚みの大小又は途中段階での変更に応じて調整が自在な建具枠を提供する。  【解決手段】  建物の開口部を見込み寸法Ｔの方向に二分割された前枠１と後枠２の組合せから成り、それぞれは金属板により中空構造に構成されている。前枠１の内側面１ａに戸当たり３が一連にＧ形状に形成されており、前記戸当たり３のリップ部３ａが後枠２の内側面２ａに接して見込み寸法Ｔの調整が自在に構成されている。決定した見込み寸法Ｔで前枠１と後枠２とは前記リップ部３ａと後枠２の内側面２ａとを結合して一体化され、更に周辺位置に配置された下地養生材７とは繋ぎ材８、９を介して接合し位置決め固定が行われる。【選択図】  図１
2006316446.tif 000002
【特許請求の範囲】
【請求項１】
建物の開口部を見込み寸法の方向に二分割された前枠と後枠の組合せから成り、それぞれは金属板により中空構造に構成されていると共に、前枠の内側面に戸当たりが一連にＧ形状に形成されており、前記戸当たりのリップ部が後枠の内側面に接して見込み寸法の調整が自在に構成されており、
決定した見込み寸法で前枠と後枠とは前記リップ部と後枠の内側面とを結合して一体化され、更に周辺位置に配置された下地養生材と繋ぎ材を介して接合し位置決め固定が行われることを特徴とする、見込み寸法の調整が自在な建具枠。
【請求項２】
戸当たりのリップ部と後枠の内側面との結合は、溶接又はボルト・ナット止めで行われることを特徴とする、請求項１に記載した見込み寸法の調整が自在な建具枠。
【発明の詳細な説明】
【技術分野】
【０００１】
この発明は、建物の開口部へ出入り口枠あるいは窓枠などとして設置される建具枠の技術分野に属し、更に言えば、図１に示す取り付け壁の厚み（壁厚Ｗ）によって決まる建具枠の見込み寸法（奥行き寸法Ｔ）を、取り付け壁の厚みの大小又は途中段階での変更に応じて調整が自在な建具枠に関する。
【背景技術】
【０００２】
上記したように、建具枠の見込み寸法Ｔは取り付け壁の厚みＷによって決まるが、施工手順から見れば、建具枠は周辺壁（取り付け壁）の施工前に予め開口部へ取り付けて設置しておくべきものである。しかし、取り付け壁の壁厚Ｗは、例えば防火壁とするか否かで大きく変わるものである。他の要因でも製作過程や現場納入段階、取り付け段階での設計変更など、或いは不具合などで変更されることも多々ある。よって、建具枠の見込み寸法Ｔは、取り付け壁の種別や厚みＷの決定時期に左右されることなく、何時でも取り付け壁の厚みの変更や不具合などに応じて柔軟に対応できることが重要であり、見込み寸法Ｔの調整が自在な建具枠が必要とされている。
従来、見込み寸法Ｔの調整が可能な建具枠としては、下記の特許文献１に記載された住宅用造作枠材が公知である。
【０００３】
【特許文献１】特許第２８８０８０５号公報
【発明の開示】
【発明が解決しようとする課題】
【０００４】
上記の特許文献１に開示された住宅用造作枠材は、一側面（内面）が枠材取り付け面となり、反対側面が周辺壁との接合面とされる芯材と、前記芯材の前記一側面（内面）から両側の見付に沿って接するように取り付けられる一対の枠縁材と、および戸当たり材とで構成され、前記の４部品を複雑に組み合わせて組み立てられている。とりわけ前記戸当たり材は芯材に形成した取り付け溝へ蟻首構造で結合し、枠縁材は芯材へ接着して被覆すると共に反対側面には駒爪形状のしゃくり部を当接させ、更に芯材の見付部に設けた固定溝へ枠縁材の蟻首構造を結合した構成とされている。
つまり、特許文献１に開示されたものは部品点数が多く、製作に手数を要する上に、その組み立てが面倒である。それでいて、見込み寸法の調整は可能であるとしても、調整幅は小さく、自在性には乏しい構成である。よって、壁の種別や厚みの決定時期によらず、何時でも厚みの変更や不具合に柔軟に対応できるかは疑問である。
【０００５】
本発明の目的は、構成が簡単で、製作、組み立てが容易であり、周辺壁の種別や厚みの決定時期によらず、壁厚の変更や不具合に柔軟に対応でき、見込み寸法の調整が自在な建具枠を提供することである。
【課題を解決するための手段】
【０００６】
上述した従来技術の課題を解決するための手段として、請求項１に記載した発明に係る見込み寸法の調整が自在な建具枠は、
建物の開口部を見込み寸法Ｔの方向に二分割された前枠１と後枠２の組合せから成り、それぞれは金属板により中空構造に構成されている。前枠１の内側面１ａに戸当たり３が一連にＧ形状に形成されており、前記戸当たり３のリップ部３ａが後枠２の内側面２ａに接して見込み寸法Ｔの調整が自在に構成されている。
決定した見込み寸法Ｔで前枠１と後枠２とは前記リップ部３ａと後枠２の内側面２ａとを結合して一体化され、更に周辺位置に配置された下地養生材７とは繋ぎ材８、９を介して接合し位置決め固定が行われることを特徴とする。
請求項２に記載した発明は、請求項１に記載した見込み寸法の調整が自在な建具枠において、
戸当たり３のリップ部３ａと後枠２の内側面２ａとの結合は、溶接６又はボルト１０・ナット１１で行われることを特徴とする。
【発明の効果】
【０００７】
本発明による見込み寸法の調整が自在な建具枠は、見込み寸法Ｔの方向に二分割された前枠１と後枠２の組合せから成る簡単な構成であり、両者は戸当たり３のリップ部３ａが後枠２の内側面２ａに接して摺動する構成に組み立てられるので、見込み寸法Ｔの調整が自在で広範囲に行える。したがって、周辺壁５の種別や厚みＷの決定時期によらず、壁厚Ｗの変更や不具合に柔軟に対応でき至便である。
【発明を実施するための最良の形態】
【０００８】
建物の開口部を見込み寸法Ｔの方向に二分割された前枠１と後枠２の組合せによって構成する。前記の前枠１と後枠２はそれぞれ金属板により中空構造に構成する。前枠１の内側面１ａに戸当たり３を一連にＧ形状に形成し、前記戸当たり３のリップ部３ａが後枠２の内側面２ａに接して摺動し見込み寸法Ｔの調整を自在に行う。
決定した見込み寸法Ｔで前枠１と後枠２とはリップ部３と後枠２の内側面２ａとを結合して一体化する。更に周辺位置に配置された下地養生材７とは繋ぎ材８、９を介して接合し位置決め固定を行なう。
【実施例１】
【０００９】
以下に、本発明を図示した実施例に基づいて説明する。
図１と図２に示した建具枠は、建物の出入り口開口へ出入り口枠として使用されるものであり、これは見込み寸法Ｔの方向に二分割された前枠１と後枠２の組合せで構成されている。前枠１と後枠２はそれぞれ、出入り口開口の口縁に沿う矩形枠として製作される。この前枠１と後枠２はそれぞれ、金属板、より具体的に言えば、厚さが１．６mm程度の鋼板を折り曲げ加工して中空構造に構成されている。もっとも、アルミニュームの押し出し成形品として製作することもできる。
【００１０】
前枠１の内面側に戸当たり３が一連にＧ形状に形成されている。図１中の符号４が扉を示す。前枠１と後枠２は、前記戸当たり３のリップ部３ａが後枠２の内側面２ａにぴったり接して摺動する状態で、相対峙する関係に組み合わされ、もって見込み寸法Ｔの調整が自在に構成されている。因みに前枠１の見込み寸法は例えば７６mm、後枠２の見込み寸法が８０mmの場合、建具全体の見込み寸法Ｔを約１４１mm〜８０mmの範囲で対応できる。
そのため後枠２の内側面２ａは、前枠１の対応する内側面１ａの内側へ差し込む構成で組み合わされている。他方、後枠２の外側面２ｂと前枠１の外側面１ｂとは、丁度面一に相対峙する関係で組み合わされている。但し、図示例から明らかなように、後枠２の内側面２ａは、外側面２ｂよりも前記の調整代を可能にするべく長く形成して、常に前枠１の戸当たり３におけるリップ部３ａが当該内側面２ａに接する構成とされている。
図示した建具枠の見付寸法ｔは２５mm程度のイメージである。
【００１１】
上記構成の建具枠は、取り付け壁５（周辺壁）の壁厚Ｗが確定し、それに基づいて決定した見込み寸法Ｔを実現するように、前枠１と後枠２との嵌め合わせ関係を摺動させ調整した段階で、前枠１と後枠２を、前枠１の前記リップ部３ａの外隅部位を後枠２の内側面と例えば点付け溶接６を行って一体的構造に結合する。つまり、本実施例の建具枠は、前枠１と後枠２とを上記のように相対峙する関係に組み合わせた後に、前記の溶接６を行うだけの簡単な、少ない手数で完成品となる。
当該建具枠を、現場で建て込み作業を行う場合は、予め建物の出入り口開口の周辺に下地養生材としての鋼材７（図示例はＣ形鋼）を、スラブ又は床の位置を除く３辺に沿って外周部位に固定しておく。そして、建て込んだ上記の建具枠は、図２中に点線で示した繋ぎ材８、９を複数箇所に配置し、それぞれ建具枠および鋼材７と溶接接合して位置決め固定を強固に行うだけである。
【００１２】
その後に、取り付け壁５（周辺壁）の縦材（図示は省略）を建て、その両面に壁ボード材５ａ、５ａを建て付けて取り付け壁５（周辺壁）の構築が行われる。
【実施例２】
【００１３】
図３に示した建具枠は、後枠２の内側面２ａと、前枠１の戸当たり３におけるリップ部３ａとの結合をボルト１０とナット１１の締結によって行う実施例である。そのためリップ部３ａには、図４に示したように、見込み寸法Ｔの調整代として、有効長さＳが２０mm位の長孔１２が設けられており、前記有効長さＳの範囲で見込み寸法の調整が可能に構成されている。
【００１４】
以上に本発明を図示した実施例に基づいて説明したが、勿論、本発明は上記の各実施例に限定されるものではない。本発明の目的と要旨、および技術的思想を逸脱しない限り、いわゆる当業者が必要に応じて行う設計変更や応用・変形も含めて広く多様に実施されることを、念のため申し添える。
【図面の簡単な説明】
【００１５】
【図１】本発明による見込み寸法の調整が自在な建具枠の実施例１を取り付け壁の開口部へ建て込んだ状態で示した水平断面図である。
【図２】図１の鳥瞰図的な斜視図（見上げ図）である。
【図３】建具枠の実施例２を示す水平断面図である。
【図４】リップ部の長孔を示すＸ矢視図である。
【符号の説明】
【００１６】
１      前枠
１ａ    前枠の内側面
２      後枠
２ａ    後枠の内側面
３      戸当たり
３ａ    リップ部
Ｔ      見込み寸法
７      下地養生材
６      溶接
１０    ボルト
１１    ナット
【図１】
2006316446.tif 000003
【図２】
2006316446.tif 000004
【図３】
2006316446.tif 000005
【図４】
2006316446.tif 000006